(57)【要約】【課題】表示を更新するときに、利用者に本をめくる感覚を与える。【解決手段】表示装置１００は、筐体１００ａの表面に、表示パネル１１０、並びに弾性変形する可曲部１２０ａ及び可曲部１２０ｂを備える。可曲部１２０ａ及び１２０ｂは、筐体１００ａの表面の縁に設けられる。利用者は、表示パネル１１０の表示を更新させたいとき、可曲部１２０ａ又は１２０ｂを曲げる。表示装置１００は、可曲部１２０の曲がり量に基づいて、表示パネル１１０の表示を更新する。【選択図】  図１
2004185331.tif 000002
【特許請求の範囲】
【請求項１】
筐体と、
前記筐体の表面に設けられた表示パネルと、
前記表面の縁に設けられ、外部から加えられた力により曲げられる可曲部と、
前記可曲部の曲がり量を検出する曲がり量検出部と、
前記曲がり量検出部が検出した曲がり量に基づいて、前記表示パネルの表示を制御する表示制御部と
を備えることを特徴とする表示装置。
【請求項２】
前記表示制御部は、前記曲がり量に基づいて、前記表示パネルが表示する表示データの更新速度を制御することを特徴とする請求項１に記載の表示装置。
【請求項３】
前記可曲部は、少なくとも２方向に曲げ可能であり、
前記曲がり量検出部は、さらに、前記可曲部の曲げ方向を検出し、
前記表示制御部は、さらに、
表示順序が定められている複数の表示データを取得し、
前記曲がり量検出部が検出した曲げ方向に基づいて、前記表示データを、表示順序に沿って更新するか逆方向に更新するかを設定することを特徴とする請求項２に記載の表示装置。
【請求項４】
前記可曲部を複数備え、
前記表示制御部は、更に、
表示順序が定められている複数の表示データを取得し、
いずれの前記可曲部が曲げられたかに基づいて、前記表示データを、表示順序に沿って更新するか逆方向に更新するかを設定することを特徴とする請求項２に記載の表示装置。
【請求項５】
前記表示制御部は、更に、
表示順序が定められている複数の表示データを取得し、
前記可曲部のいずれの部分が曲げられたかを判断し、当該判断結果に基づいて、表示順序が定められている複数の表示データから、前記表示パネルが最初に表示すべき表示データを選択することを特徴とする請求項２に記載の表示装置。
【請求項６】
筐体と、
前記筐体の表面に設けられた表示パネルと、
それぞれが曲げられるように前記表面の縁に重ねて設けられた複数のシート状の可曲部と、
いずれの前記可曲部が曲げられたかに基づいて、複数の表示データの中から、前記表示パネルに表示すべき表示データを設定する表示制御部と
を備えることを特徴とする表示装置。
【請求項７】
表示パネルと、
利用者が接触する面状の接触部と、
前記接触部内における前記利用者の接触位置に基づいて、前記表示パネルが表示する表示データの更新速度を設定し、設定した更新速度に基づいて前記表示データを更新することを特徴とする表示装置。
【請求項８】
表示パネルと、
表示順序が定められている複数の表示データから選択された一の前記表示データの、表示順序上の位置に基づいて、前記一の表示データの前記表示パネルにおける表示位置を設定する表示位置制御部と
を備えることを特徴とする表示装置。
【請求項９】
表示装置の制御方法であって、
表示装置の外縁近傍に設けられ、外部から加えられた力により曲げられる可曲部の曲がり量を検出し、
検出した前記曲がり量に基づいて前記表示装置の表示を制御することを特徴とする表示装置の制御方法。
【発明の詳細な説明】
【０００１】
【発明の属する技術分野】
本発明は、表示装置及び表示装置の制御方法に関する。特に本発明は、表示を更新するときに、利用者に本をめくる感覚を与えることができる、表示装置及び表示装置の制御方法に関する。
【０００２】
【従来の技術】
書籍などを電子データとして取得して読む場合、利用者は、取得した電子データを表示装置に表示させる。
従来の表示装置は、利用者の操作に基づき、画面をスクロールしたり、表示を切り換えることで、表示データ、例えばページを更新する。
現時点で先行技術文献の存在を認識していないので、先行技術文献に関する記載を省略する。
【０００３】
【発明が解決しようとする課題】
人は、紙を媒体とする書籍に慣れ親しんでいる。このため、表示装置が表示データを更新するときに、表示装置の利用者に、紙をめくる感覚を与えることが必要である。
【０００４】
そこで本発明は、上記の課題を解決することのできる表示装置及び表示装置の制御方法を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、筐体と、筐体の表面に設けられた表示パネルと、表面の縁に設けられ、外部から加えられた力により曲げられる可曲部と、可曲部の曲がり量を検出する曲がり量検出部と、曲がり量検出部が検出した曲がり量に基づいて、表示パネルの表示を制御する表示制御部とを備えることを特徴とする表示装置を提供する。
【０００６】
第１の形態の表示装置において、表示制御部は、曲がり量に基づいて、表示パネルが表示する表示データの更新速度を制御してもよい。
この場合、可曲部は、少なくとも２方向に曲げ可能であり、曲がり量検出部は、さらに、可曲部の曲げ方向を検出し、表示制御部は、さらに、表示順序が定められている複数の表示データを取得し、曲がり量検出部が検出した曲げ方向に基づいて、表示データを、表示順序に沿って更新するか逆方向に更新するかを設定してもよい。
また、可曲部を複数備え、表示制御部は、更に、表示順序が定められている複数の表示データを取得し、いずれの可曲部が曲げられたかに基づいて、表示データを、表示順序に沿って更新するか逆方向に更新するかを設定してもよい。
また、表示制御部は、更に、表示順序が定められている複数の表示データを取得し、可曲部のいずれの部分が曲げられたかを判断し、当該判断結果に基づいて、表示順序が定められている複数の表示データから、表示パネルが最初に表示すべき表示データを選択してもよい。
【０００７】
本発明の第２の形態は、筐体と、筐体の表面に設けられた表示パネルと、それぞれが曲げられるように表面の縁に重ねて設けられた複数のシート状の可曲部と、いずれの可曲部が曲げられたかに基づいて、複数の表示データの中から、表示パネルに表示すべき表示データを設定する表示制御部とを備えることを特徴とする表示装置を提供する。
【０００８】
本発明の第３の形態は、表示パネルと、利用者が接触する面状の接触部と、接触部内における利用者の接触位置に基づいて、表示パネルが表示する表示データの更新速度を設定し、設定した更新速度に基づいて表示データを更新することを特徴とする表示装置を提供する。
【０００９】
本発明の第４の形態は、表示パネルと、表示順序が定められている複数の表示データから選択された一の表示データの、表示順序上の位置に基づいて、一の表示データの表示パネルにおける表示位置を設定する表示位置制御部とを備えることを特徴とする表示装置を提供する。
【００１０】
本発明の第５の形態は、表示装置の制御方法であって、表示装置の外縁近傍に設けられ、外部から加えられた力により曲げられる可曲部の曲がり量を検出し、検出した曲がり量に基づいて表示装置の表示を制御することを特徴とする表示装置の制御方法を提供する。
【００１１】
なお上記の発明の概要は、本発明の必要な特徴の全てを列挙したものではなく、これらの特徴群のサブコンビネーションも又発明となりうる。
【００１２】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【００１３】
図１は、本発明の一実施形態である表示装置１００の正面図である。表示装置１００は、表示を更新することで、複数の表示データを連続して表示する。表示装置１００は、筐体１００ａの表面に、表示パネル１１０、並びに弾性変形する可曲部１２０ａ及び可曲部１２０ｂ（以下可曲部１２０と総括）を備える。可曲部１２０ａ及び１２０ｂは、筐体１００ａの表面の縁に設けられる。また、可曲部１２０ａ及び１２０ｂは、利用者が左右それぞれの手で操作することができるように、左右に離れて設けられているのが好ましい。
【００１４】
書籍を見るとき、読者は書籍を曲げながら頁をめくる。本実施形態において、表示装置１００は、可曲部１２０の曲がり量に基づいて、表示パネル１１０の表示を更新する。すなわち、利用者は、表示パネル１１０の表示を更新させたいとき、可曲部１２０ａ又は１２０ｂを曲げる。従って、利用者は、表示パネル１１０の表示を更新させるとき、書籍をめくる感覚を得ることができる。
【００１５】
また、可曲部１２０ａ及び可曲部１２０ｂの表面は、一方向（例えば上下方向）に長い。表示装置１００は、可曲部１２０の表面における利用者の接触位置を判断し、この接触位置に基づいて表示パネル１１０の表示の更新速度を設定する。従って、利用者は、可曲部１２０における接触位置を変更するのみで、表示パネル１１０の表示の更新速度を変更することができる。
なお、表示装置１００は、可曲部１２０における利用者の接触位置の移動速度又は移動時の加速度に基づいて、表示パネル１１０の表示の更新速度を設定してもよい。
【００１６】
図２は、可曲部１２０ａの、図１におけるＡ−Ａ断面図である。なお、可曲部１２０ｂの構造は、左右線対称である点を除き、可曲部１２０ａと同じである。可曲部１２０ａは、底面側に曲がり量検出部１２２ａを、表面側に位置検出部１２４ａを、それぞれ有する。
曲がり量検出部１２２ａは、例えば可曲部１２０ａの長手方向に沿って一定間隔毎に設けられた複数の圧電体である。この場合、表示装置１００は、圧電体の歪みに起因して生じる電圧の大きさに基づいて、可曲部１２０ａの曲がり量を検出する。
位置検出部１２４ａは、例えば静電パッドであり、可曲部１２０ａにおける利用者の接触位置を検出する。また、位置検出部１２４ａは、曲がり量検出部１２２ａに重なっている。
このため、表示装置１００は、利用者の可曲部１２０内の接触位置、及び接触位置における曲がり量を検出することができる。
【００１７】
また、可曲部１２０ａの上面１２６は、複数の縦縞状の凹凸を有する。凹凸の高低差は、接触した利用者が凹凸の存在を認識できる程度、例えば１ｍｍ以下である。
利用者は、表示パネル１１０の表示を更新するときに、これらの凹凸に触れる。従って、書籍の頁の端部に接しているという感覚を得ることができる。
【００１８】
図３は、表示装置１００の機能構成を示す。表示装置１００は、表示パネル１１０、可曲部１２０ａ及び１２０ｂの他に、表示データ保持部１３０及び表示制御部１４０を備える。
表示データ保持部１３０は、表示順序が定められた複数の表示データからなる表示データ群を保持する。表示データ群は、例えば電子書籍や電子アルバムであり、表示データは例えば電子書籍の一頁や電子写真である。
表示制御部１４０は、可曲部１２０ａ及び１２０ｂに含まれる、曲がり量検出部１２２ａ及び１２２ｂ並びに位置検出部１２４ａ及び１２４ｂの検出結果に基づいて、表示パネル１１０の表示を制御する。表示制御部１４０の動作の詳細は、フローチャートを用いて後述する。
【００１９】
図４は、表示制御部１４０の動作を示すフローチャートである。
表示制御部１４０は、位置検出部１２４ａ又は１２４ｂの検出結果に基づいて、可曲部１２０における利用者の接触位置を判断する（Ｓ２０）。そして、接触位置に基づいて、最初に表示すべき表示データを設定する（Ｓ２２）。例えば、表示制御部１４０は、利用者が接触位置を図１の上側にずらした場合には手前の表示データを、利用者が接触位置を図１の下側にずらした場合は後の表示データを、それぞれ最初に表示すべき表示データとして設定する。
【００２０】
そして、表示制御部１４０は、曲がり量検出部１２２ａ及び１２２ｂのいずれが曲げを検出したかに基づいて、可曲部１２０ａ及び１２０ｂのいずれを利用者が曲げたかを判断する（Ｓ２４）。ここで、表示制御部１４０は、検出された曲がり量が基準値を超えた時に、利用者が可曲部１２０ａ又は１２０ｂを曲げたと判断する。
【００２１】
そして、表示制御部１４０は、曲げられた可曲部１２０の判断結果に基づいて、表示データの更新方向を設定する（Ｓ２６）。例えば、表示制御部１４０は、可曲部１２０ａが曲げられたと判断した場合に、表示データの更新方向を表示順序通りとし、可曲部１２０ｂが曲げられたと判断した場合に、表示データの更新方向を表示順序とは逆方向とする。ここで、表示装置１００は、Ｓ２４における曲がり量検出部１２２ａ及び１２２ｂの感度を、位置によって変えてもよい。例えば図１の上側に行くに従って感度を低くする。このようにすると、誤って表示データを大量に更新する可能性は低くなる。
【００２２】
そして、表示制御部１４０は、位置検出部１２４ａ又は１２４ｂの検出結果に基づいて、可曲部１２０における利用者の接触位置を判断する（Ｓ２８）。そして、接触位置に基づいて、表示データの更新速度を設定する（Ｓ３０）。例えば、表示制御部１４０は、利用者が接触位置を図１の上側にずらした場合は、表示データの更新速度を速くし、利用者が接触位置を図１の下側にずらした場合は、表示データの更新速度を遅くする。
【００２３】
そして、表示制御部１４０は、最初に表示すべき表示データを表示した後、設定した更新方向及び更新速度に基づいて、表示している表示データを更新する（Ｓ３２）。
【００２４】
利用者が可曲部１２０の曲げを継続している場合、表示データ制御部１４０は、Ｓ２４〜Ｓ３２の動作を繰り返す（Ｓ３４：Ｙｅｓ）。ここで、表示データ制御部１４０は、利用者が可曲部１２０の曲げを、予め定められた時間以上継続して行わなかった場合に、曲げを中止したと判断し（Ｓ３４：Ｎｏ）、更新動作を終了する。
従って、利用者は、内容を確認したい表示データを、書籍を曲げながら頁をめくる感覚を持ちつつ表示装置１００の表示データを更新することができる。
【００２５】
なお、図４のＳ２８及びＳ３０において、可曲部１２０の曲がり量に基づいて表示データの更新速度を設定しても良い。例えば可曲部１２０の曲がり量が大きくなるにつれて更新速度を速くする。この場合、利用者は、曲がり量を変えるという操作を行うのみで、表示データの更新速度を設定することができる。
【００２６】
図５は、可曲部１２０ａの変形例である可曲部１５０ａの構成を示す断面図である。本図は、図１のＡ−Ａ断面図に相当する。なお、可曲部１２０ｂの変形例である可曲部１５０ｂ（以下、可曲部１５０ａと併せて可曲部１５０と総括）も、可曲部１５０ａと同様の構成である。
【００２７】
可曲部１５０は、互いに重なった複数のシート状可曲部１５２、及びシート状可曲部１５２のそれぞれの曲がり方向及び曲がり量を検出する複数の曲がり量検出部１５４を有する。
シート状可曲部１５２は、例えば弾性変形する樹脂である。シート状可曲部１５２の一端は表示装置１００の筐体１００ａに固定されており、他端は一枚毎に曲げ可能となっている。
曲がり量検出部１５４は、例えばシート状可曲部１５２のそれぞれに固定された板状の圧電体を含む。そして、圧電素子の一面に生じる電圧の向き及びその大きさ示す信号を、シート状可曲部１５２の曲がり方向及び量を示す信号として表示制御部１４０に出力する。
【００２８】
利用者は、本変形例における表示装置１００に表示データの更新指示を入力するとき、複数のシート状可曲部１５２を、紙をめくる感覚で曲げる。
このため、利用者は、書籍の頁をめくる感覚を持ちながら表示装置１００の表示データを更新させることができる。
【００２９】
図６は、本変形例における表示制御部１４０の動作を示すフローチャートである。表示制御部１４０は、いずれの曲がり量検出部１５４に電圧が生じたかに基づいて、いずれのシート状可曲部１５２が曲げられたかを判断する（Ｓ１００）。
そして、表示制御部１４０は、シート状可曲部１５２の判断結果に基づいて、最初に表示する表示データを設定する（Ｓ１０２）。例えば表示制御部１４０は、曲げられたシート状可曲部１５２の重ね順序が、表面に近づくにつれて、手前の表示データを、最初に表示すべき表示データに設定する。従って、利用者は、書籍を開く感覚を持ちつつ最初に表示すべき表示データを選択することができる。
ここで、通常は、複数のシート状可曲部１５２が曲げられる。この場合、表示制御部１４０は、曲げられたシート状可曲部１５２のうち最も表面に近いシート状可曲部１５２の重ね順序に基づいて、最初に表示する表示データを設定する。
【００３０】
そして、表示制御部１４０は、曲がりを検出したシート状可曲部１５２がいずれの可曲部１５０に属しているかを判断し（Ｓ１０４）、判断結果に基づいて、表示データの更新方向を設定する（Ｓ１０６）。
【００３１】
そして、表示制御部１４０は、最初に表示すべき表示データを表示した後、利用者がシート状可曲部１５２のそれぞれから指を離すたび、すなわちいずれかのシート状可曲部１５２が曲げから開放されるたび（Ｓ１０８：Ｙｅｓ）に、表示データを更新し（Ｓ１１０）、Ｓ１０４に戻る。
また、予め定められた時間継続して、いずれかのシート状可曲部１５２が曲げから開放されなかった場合（Ｓ１０８：Ｎｏ）、表示制御部１４０は更新動作を終了する。
従って、利用者は、内容を確認したい表示データを、書籍の頁をめくる感覚で探すことができる。
【００３２】
図７は、表示装置１００の第１の変形例の正面図である。本変形例に係る表示装置１００は、可曲部１２０ａ及び１２０ｂの代わりに一つの可曲部１６０を備える。他の構成については、図３に示す表示装置１００と同じであるため、説明を省略する。
可曲部１６０は、一方向、例えば上下に長い。そして、長手方向に沿って、複数の曲がり量検出部１６２を一定間隔毎に有する。曲がり量検出部１６２は、圧電体を含み、可曲部１６０の曲がり方向及び曲がり量を示す信号を、表示制御部１４０に出力する。
本変形例に係る表示装置１００は、利用者が可曲部１６０のいずれの部分を曲げたかを検出し、この検出結果に基づいて、最初に表示すべき表示データを選択したり、或いは更新速度を設定する。すなわち、利用者は、片手で表示装置１００を操作することができる。
【００３３】
図８は、表示制御部１４０の動作の変形例を示すフローチャートである。表示データ制御部１４０は、利用者が可曲部１２０のいずれの部分を曲げたかを検出する。具体的には、いずれの曲がり量検出部１６２が曲げを検出したかを判断する（Ｓ２００）。そして、曲げられた部分の位置に基づいて、最初に表示すべき表示データを設定する（Ｓ２０２）。例えば、曲げる部分を利用者が図１の上側にずらした場合には手前の表示データを、図１の下側にずらした場合は後の表示データを、それぞれ最初に表示すべき表示データとして設定する。
【００３４】
そして、表示制御部１４０は、可曲部１６０の曲がり量を判断し（Ｓ２０４）、判断した曲がり量に基づいて表示データの更新速度を設定する（Ｓ２０６）。例えば、曲がり量が大きくなるに従って、表示データの更新速度を速くする。
【００３５】
そして、表示制御部１４０は、可曲部１６０の曲がり方向を判断し（Ｓ２０８）、判断した曲がり方向に基づいて、表示データの更新方向を設定する（Ｓ２１０）。
そして、設定された更新速度及び更新方向に基づいて、表示データを更新する（Ｓ２１２）。
表示データ制御部１４０は、Ｓ２０４〜Ｓ２１２の動作を、利用者が可曲部１６０を曲げを継続している限り繰り返す（Ｓ２１４）。
【００３６】
従って、本変形例によれば、利用者は、可曲部１６０の特定の部分を特定の方向に曲げることで、表示データの更新速度及び更新方向を入力することができる。このため、利用者が行う操作は簡単になる。
【００３７】
図９は、表示装置１００の第２の変形例の正面図である。本例において、表示制御部１４０は、表示パネル１１０の左右のスペース１１２及びスペース１１４を除いた領域に表示データを表示する。
ここで、表示制御部１４０は、スペース１１２の幅を、表示データ領域１１２に表示されている表示データより手前にある表示データの量によって定める。また、スペース１１４の幅を、表示データ領域１１２に表示されている表示データより後にある表示データの量によって定める。このため、表示データ表示領域１１２の位置は、表示データの表示順序上の位置によって変化する。
従って、利用者は、表示パネル１１０内の表示データの表示位置によって、表示データの表示順序上の位置を視覚的に認識することができる。
【００３８】
なお、表示データ制御部１４０は、好ましくはスペース１１２の横幅とスペース１１４の横幅の和を一定に保つ。この場合、表示データを表示する領域の幅は、表示データの表示順序上の位置によらず一定である。
【００３９】
また、スペース１１２及び１１４のそれぞれは、複数の縦線を表示している。このため、本を開いているイメージを利用者に与えることができる。また、表示データを表示している領域も、中央に縦線を点線で表示している。このため、本を開いているイメージを利用者に与えることができる。
【００４０】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００４１】
【発明の効果】
上記説明から明らかなように、本発明によれば本をめくる感覚を利用者に与えることができる。
【図面の簡単な説明】
【図１】本発明の一実施形態である表示装置１００の正面図である。
【図２】可曲部１２０ａの、図１におけるＡ−Ａ断面図である。
【図３】表示装置１００の機能構成を示すブロック図である。
【図４】表示制御部１４０の動作を示すフローチャートである。
【図５】可曲部１２０ａの変形例である可曲部１５０ａの構成を示す断面図である。
【図６】本変形例における表示制御部１４０の動作を示すフローチャートである。
【図７】表示装置１００の第１の変形例の正面図である。
【図８】表示制御部１４０の動作の変形例を示すフローチャートである。
【図９】表示装置１００の第２の変形例の正面図である。
【符号の説明】
１００  表示装置
１１０  表示パネル
１２０、１５０、１６０  可曲部
１２２、１５４  曲がり量検出部
１２４  位置検出部
１４０  表示制御部
１５２  シート状可曲部
【図１】
2004185331.tif 000003
【図２】
2004185331.tif 000004
【図３】
2004185331.tif 000005
【図４】
2004185331.tif 000006
【図５】
2004185331.tif 000007
【図６】
2004185331.tif 000008
【図７】
2004185331.tif 000009
【図８】
2004185331.tif 000010
【図９】
2004185331.tif 000011